(57)【要約】【課題】  光学式ピックアップに組み込まれているレーザーダイオードから照射されるレーザー光にて光ディスクに信号の記録動作を行う光ディスク記録再生装置の記録制御方法を提供する。【解決手段】  信号トラックにレーザー光のスポットを追従させるトラッキング制御動作を行うトラッキングサーボ回路１９を不動作状態にさせた状態において、光ディスクＤに記録されている信号を再生する場合に得られるトラッキングエラー信号のレベルを検出し、検出されたレベル及びフォーカスサーボ回路２０のデフォーカス値に基づいてレーザー光の信号トラックに対するスポット形状を検出し、検出されたスポット形状に基いて記録ストラテジを設定するように構成されている。【選択図】    図１
2006155777.tif 000002
【特許請求の範囲】
【請求項１】
４分割光検出器の中の対角配置されている光検出器から得られる信号を加算して得られる信号間の位相差に基づいて生成されるトラッキングエラー信号を利用してトラッキング制御動作を行うように構成された光学式ピックアップを使用する光ディスク記録再生装置の記録制御方法であり、信号トラックにレーザー光のスポットを追従させるトラッキングサーボを不動作状態にさせた状態において、光ディスクに記録されている信号を再生する場合に得られるトラッキングエラー信号のレベルを検出し、検出されたレベル及びフォーカスサーボのデフォーカス値に基づいてレーザー光の信号トラックに対するスポット形状を検出し、検出されたスポット形状に基いて記録ストラテジを設定するようにしたことを特徴とする光ディスク記録再生装置の記録制御方法。
【請求項２】
トラッキングエラー信号のレベルに対応したスポット径のデータが記憶されたスポット径データメモリー回路を設け、検出されたトラッキングエラー信号のレベルに対応したデータを読み出すことによってスポット形状を検出するようにしたことを特徴とする請求項１に記載の記録制御方法。
【請求項３】
スポット形状に対応した記録ストラテジデータが複数記憶された記録ストラテジメモリー回路を設け、該記録ストラテジメモリー回路に記憶されている記録ストラテジデータを検出されたスポット形状に基いて選択することにより記録ストラテジを設定するようにしたことを特徴とする請求項２に記載の記録制御方法。
【発明の詳細な説明】
【技術分野】
【０００１】
本発明は、光学式ピックアップに組み込まれているレーザーダイオードから照射されるレーザー光にて光ディスクに信号の記録動作を行う光ディスク記録再生装置の記録制御方法に関する。
【背景技術】
【０００２】
レーザーダイオードから照射されるレーザー光によって光ディスクへの信号の記録動作を行う光ディスク記録再生装置が普及している。光ディスク記録再生装置としては、ＣＤと呼ばれる光ディスクを使用するものやＤＶＤと呼ばれる光ディスクを使用するものが一般的である。
【０００３】
光ディスクへの信号の記録動作は、レーザー光にてピットを光ディスクに設けられている信号トラック上に形成することによって行われるが、斯かるピットの長さは、ＣＤディスクでは、３Ｔ、４Ｔ…１１Ｔと規定され、ＤＶＤディスクでは、３Ｔ、４Ｔ…１４Ｔと規定されている。
【０００４】
そして、光ディスクへの記録動作は、レーザーダイオードに記録信号に対応した駆動パルス、即ち図３に示すようなパルス信号を供給することによって行われるが、斯かる駆動パルスの間隔等は、光ディスクの記録特性に応じて設定されている記録ストラテジに基いて設定される。
【０００５】
斯かる記録ストラテジは、光学式ピックアップより照射されるレーザー光のスポットの形状が真円やトラックの接線方向、即ちタンジェンシャル方向の径が一定であるとして設定されている。しかしながら、レーザー光のスポットの方向は、一定ではなく光学式ピックアップ毎に相違する。
【０００６】
斯かる点を改良するためにレーザー光のスポット方向を光ディスク上のトラックに対して調整する技術が開発されている(例えば、特許文献１参照。)。
【０００７】
また、光ディスク記録再生装置では、光学式ピックアップから照射されるレーザー光を信号トラックに追従させる動作を行う必要があり、斯かる制御動作は一般にトラッキングサーボと呼ばれる回路によって行われている。斯かるトラッキング制御動作を行うトラッキング制御方式は種々あるが、４分割光検出器の中の対角配置されている光検出器から得られる信号を加算して得られる信号間の位相差に基づいて生成されるトラッキングエラー信号を利用する方式、即ち位相差検出方式が一般的である(例えば、特許文献２参照。)。
【特許文献１】特開平８−６３７７７号公報
【特許文献２】特開２００１−２６６３７３号公報
【発明の開示】
【発明が解決しようとする課題】
【０００８】
特許文献１に記載されている技術は、光学式ピックアップの製造時に正確に調整する必要があるため、製造コストの高騰を招くという問題がある。また、このように調整された光学式ピックアップを使用しても光ディスク記録再生装置へ組み込まれた場合においては、取付位置のズレやフォーカス制御動作に伴うスポット形状の変化によりトラックに対するスポット形状との関係を一定にすることは困難である。
【０００９】
このように光ディスク上のトラックとレーザー光のスポット形状との関係が一定でないため、光ディスクの記録特性に合わせて前もって設定されている記録ストラテジでは、該光ディスクへの記録動作を最適な状態にて行うことが出来ないという問題がある。
【００１０】
本発明は、斯かる問題を解決することが出来る記録制御方法を提供しようとするものである。
【課題を解決するための手段】
【００１１】
本発明は、信号トラックにレーザー光のスポットを追従させるトラッキングサーボを不動作状態にさせた状態において、光ディスクに記録されている信号を再生して得られるトラッキングエラー信号のレベルを検出し、検出されたレベル及びフォーカスサーボのデフォーカス値に基づいてレーザー光の信号トラックに対するスポット形状を検出し、検出されたスポット形状に基いて記録ストラテジを設定するように構成されている。
【００１２】
また、本発明は、トラッキングエラー信号のレベルに対応したスポット径のデータが記憶されたスポット径データメモリー回路を設け、検出されたトラッキングエラー信号のレベルに対応したデータを読み出すことによってスポット形状を検出するように構成されている。
【００１３】
そして、本発明は、スポット形状に対応した記録ストラテジデータが複数記憶された記録ストラテジメモリー回路を設け、該記録ストラテジメモリー回路に記憶されている記録ストラテジデータを検出されたスポット形状に基いて選択することにより記録ストラテジを設定するように構成されている。
【発明の効果】
【００１４】
本発明は、信号トラックにレーザー光のスポットを追従させるトラッキングサーボを不動作状態にさせた状態において、光ディスクに記録されている信号を再生して得られるトラッキングエラー信号のレベルを検出し、検出されたレベル及びフォーカスサーボのデフォーカス値に基づいてレーザー光の信号トラックに対するスポット形状を検出し、検出されたスポット形状に基いて記録ストラテジを設定するようにしたので、信号トラックへの記録動作に作用するスポットの長さを認識することが出来、その結果記録動作を行うために適した記録ストラテジを正確に設定することが出来る。
【００１５】
また、本発明は、トラッキングエラー信号のレベルに対応したスポット径のデータが記憶されたスポット径データメモリー回路を設け、検出されたトラッキングエラー信号のレベルに対応したデータを読み出すことによってスポット形状を検出するようにしたので、容易にスポット形状を認識することが出来る。
【００１６】
そして、本発明は、スポット形状に対応した記録ストラテジデータが複数記憶された記録ストラテジメモリー回路を設け、該記録ストラテジメモリー回路に記憶されている記録ストラテジデータを検出されたスポット形状に基いて選択することにより記録ストラテジを設定するようにしたので、光ディスクへの信号の記録動作を正確に行うことが出来る。
【発明を実施するための最良の形態】
【００１７】
本発明は、光学式ピックアップから照射されるレーザー光のスポットを信号トラックに追従させるトラッキングサーボを不動状態にさせた状態において、トラッキングエラー信号のレベルを検出することによってレーザー光のスポット形状を検出するようにされている。
【実施例】
【００１８】
図６は、本発明に係るトラッキングエラー信号を生成する回路、即ち位相差検出方式を説明するための回路図である。同図において、１は、光ディスクＤから反射されるレーザー光を受ける４分割光検出器であり、Ａ、Ｂ、Ｃ及びＤの４つの光検出器にて構成されている。
【００１９】
２は前記４分割光検出器１を構成する光検出器Ａ及びＣから得られる信号を加算する第１加算回路、３は前記４分割光検出器１を構成する光検出器Ｂ及びＤから得られる信号を加算する第２加算回路である。４は前記第１加算回路２から出力される第１加算信号の周波数補正を行う第１イコライザ回路、５は前記第２加算回路３から出力される第２加算信号の周波数補正を行う第２イコライザ回路である。
【００２０】
６は前記第１イコライザ回路４にて周波数補正された第１加算信号が入力される第１コンパレータ回路であり、入力される信号が所定レベル以上になるとその間Ｈ(高い)レベルとなる第１パルス信号を出力するように構成されている。７は前記第２イコライザ回路５にて周波数補正された第２加算信号が入力される第２コンパレータ回路であり、入力される信号が所定レベル以上になるとその間Ｈレベルとなる第２パルス信号を出力するように構成されている。
【００２１】
８は前記第１コンパレータ回路６から出力される第１パルス信号と第２コンパレータ回路７から出力される第２パルス信号が入力されるとともに２つのパルス信号間の位相差を検出する位相差検出回路であり、第１パルス信号の位相が第２パルス信号の位相より進んでいるときその位相差に対応した幅の第１検出パルス信号を出力する第１出力端子８Ａ及び第２パルス信号の位相が第１パルス信号の位相より進んでいるときその位相差に対応した幅の第２検出パルス信号を出力する第２出力端子８Ｂを備えている。
【００２２】
９は前記位相差検出回路８に設けられている第１出力端子８Ａから出力される信号が入力される第１ローパスフィルター回路、１０は前記位相差検出回路８に設けられている第２出力端子８Ｂから出力される信号が入力される第２ローパスフィルター回路、１１は前記第１ローパスフィルター回路９及び第２ローパスフィルター回路１０の出力信号が入力される減算回路であり、入力される信号の差信号をトラッキングエラー信号として出力端子１１Ａに出力するように構成されている。
【００２３】
前述したように位相差検出方式のトラッキングエラー信号生成回路は構成されているが、次に検出動作について図７及び図８に示す波形図を参照して説明する。図７の(Ａ)は第１イコライザ回路４から出力される第１加算信号及び第２イコライザ回路５から出力される第２加算信号の波形を示すものであり、実線が第１加算信号、破線が第２加算信号である。
【００２４】
図７の(Ｂ)は第１コンパレータ回路６から出力される第１パルス信号の波形を示すものであり、図７の(Ａ)に示す比較基準レベルＶＲを越えた期間がＨレベルで示されている。図７の(Ｃ)は第２コンパレータ回路７から出力される第２パルス信号の波形を示すものであり、図７の(Ａ)に示す比較基準レベルＶＲを越えた期間がＨレベルで示されている。
【００２５】
図７の(Ｄ)は位相差検出回路８の第１出力端子８Ａに出力される第１検出パルス信号の波形を示すものであり、第１パルス信号の位相が第２パルス信号の位相より進んでいる期間がＨレベルで示されている。図７の(Ｅ)は位相差検出回路８の第２出力端子８Ｂに出力される第２検出パルス信号の波形を示すものであり、第２パルス信号の位相が第１パルス信号の位相より進んでいる期間がＨレベルで示されている。
【００２６】
図８は、前記減算回路１１の出力端子１１Ａに出力されるトラッキングエラー信号のレベル変化を示す波形図であり、光ビームの信号トラックに対するズレ、即ちオフトラックに応じて位相差量が変化するので、トラッキングエラー信号のレベルがその位相差に応じて変化することになる。
【００２７】
前述した回路によって得られるトラッキングエラー信号を利用することによって本発明に係る光ディスク記録再生装置におけるトラッキング制御動作は行われるが、次に図１に示す本発明に係る光ディスク記録再生装置について説明する。
【００２８】
図１において、１２はレーザー光を照射するレーザーダイオード１３が組み込まれている光学式ピックアップであり、レーザーダイオード１３から照射されるレーザー光を光ディスクＤの記録層に合焦させる対物レンズ１４、光ディスクＤから反射されるレーザー光を受光し電気信号に変換するとともに前述した４分割光検出器１等にて構成される光検出器１５、対物レンズ１４を光ディスクＤの径方向に変位させるトラッキングコイル１６、対物レンズ１４を光ディスクＤの信号面に対して垂直方向に変位させるフォーカシングコイル１７が組み込まれている。
【００２９】
斯かる構成において、光学式ピックアップ１２の本体は、ピックアップ送り用モーター(図示せず)によって光ディスクＤの径方向に変位せしめられるように構成されている。斯かる駆動機構は周知の機構を利用すればよいので、その説明は省略する。
【００３０】
１８は前記光検出器１５から得られる電気信号が光信号として入力される光出力信号処理回路であり、前述したようなレーザー光の信号トラックに対するズレを示すトラッキングエラー信号を生成するトラッキングエラー信号生成回路が組み込まれている。また、前記光出力信号処理回路１８には、レーザー光の記録層に対するフォーカスのズレを示すフォーカスエラー信号を出力するフォーカスエラー信号生成回路(図示せず)が組み込まれている。そして、前記光出力信号処理回路１８には光ディスクＤに記録されている信号の再生信号を２値化した信号を生成する信号再生回路(図示せず)が組み込まれている。斯かる光出力信号処理回路１８による各種信号の生成動作は周知の回路にて行われるので、その説明は省略する。
【００３１】
１９は前記光出力信号処理回路１８に組み込まれているトラッキングエラー信号生成回路の出力端子１１Ａから出力されるトラッキングエラー信号が入力されるトラッキングサーボ回路であり、入力されるトラッキングエラー信号に基くトラッキングコイル駆動信号を前記トラッキングコイル１６に供給することによってトラッキング制御動作を行うように構成されている。
【００３２】
２０は前記光出力信号処理回路１８によって生成されて出力されるフォーカスエラー信号が入力されるフォーカスサーボ回路であり、入力されるフォーカスエラー信号に基くフォーカシングコイル駆動信号を前記フォーカシングコイル１７に供給することによってフォーカス制御動作を行うように構成されている。
【００３３】
前記フォーカスサーボ回路２０からフォーカシングコイル１７に供給されるフォーカシングコイル駆動信号は、対物レンズ１４を光ディスクＤの記録層に合焦させる位置である動作位置に変位させる直流電圧と光ディスクＤの面振動に伴うフォーカスズレを補正するために対物レンズ１４を高速で変位させる高周波信号とより構成されているが、斯かる信号は周知であるので説明は省略する。
【００３４】
２１は前記光出力信号処理回路１８内に設けられている２値化回路によって２値化された再生信号が入力されるとともにデジタル信号処理を行うデジタル信号処理回路であり、
光ディスクＤに記録されている同期信号、位置情報データ及び記録信号等の各種の信号を復調するように構成されている。２２は光ディスク記録再生装置の各動作を制御するシステム制御回路であり、前記デジタル信号処理回路２１より生成される同期信号を利用してスピンドルモーターによる光ディスクＤの回転制御動作や再生信号及び記録信号の処理動作、そして外部に設けられているパーソナルコンピューター等のホスト機器との信号の送受信動作を制御するように構成されている。斯かるシステム制御回路２２は、マイクロコンピューターにて構成されており、内部に設けられているフラッシユＲＯＭ等に記憶されているプログラムソフトに基いて各種の制御動作を行うように構成されている。
【００３５】
２３はパーソナルコンピューター等から入力される記録信号やシステム制御回路２２にて生成されるテスト信号が入力される信号記録用回路であり、光ディスクＤの規格に合わせて記録信号をインターリーブ等のエンコード処理する作用を有している。斯かる信号記録用回路２３によるエンコード処理動作等は、周知であるのでその説明は省略する。
【００３６】
２４は前記信号記録用回路２３によってエンコード処理された記録信号が入力されるレーザー駆動信号生成回路であり、記録信号に対応して３Ｔ、４Ｔ…１４Ｔのピットを形成するために適した駆動信号を生成するように構成されている。２５は前記レーザー駆動信号生成回路２４より生成出力される駆動信号に応じてレーザーダイオード１３を駆動する信号を出力するレーザー駆動回路である。
【００３７】
２６は前記システム制御回路２２によって動作が制御されるレーザー駆動信号制御回路であり、前記レーザー駆動信号生成回路２４による駆動信号の生成動作を制御するように構成されている。２７は前記システム制御回路２２に組み込まれている記録ストラテジメモリー回路であり、後述するレーザー光のスポット径に応じたストラテジデータがテーブルデータとして記憶されている。
【００３８】
前記レーザー駆動信号制御回路２６によるレーザー駆動信号生成回路２４に対する制御動作は、前記記録ストラテジメモリー回路２７より得られるテーブルデータに基いて行われる。即ち、レーザー駆動信号生成回路２４からレーザー駆動回路２５に供給される駆動信号は、図３に示すようなパルス信号であり、３Ｔのピットを形成する場合には、先頭パルスＰ１のみの信号、４Ｔのピットを形成する場合には、先頭パルスＰ１及びＰ２よりなる信号、そして５Ｔのピットを形成する場合には、先頭パルスＰ１、Ｐ２及びＰ３より成る駆動信号をレーザー駆動回路２５に対して出力するように行われ、パルスＰ１、Ｐ２、Ｐ３の幅や各パルス間の間隔を前記記録ストラテジメモリー回路２７より得られるテーブルデータに基いて変更設定するように構成されている。
【００３９】
２８は前記光出力信号処理回路１８に設けられているトラッキングエラー信号出力端子１１Ａから出力されるトラッキングエラー信号のレベルを検出するトラッキングエラー信号レベル検出回路であり、トラッキングエラー信号の最大レベルであるピークレベルと最低レベルであるボトムレベルとの間のレベル、即ち図８においてＥＶで示すレベルを検出し、その検出されたレベルを２値化してシステム制御回路２２に対して出力するように構成されている。
【００４０】
２９は前記フォーカスサーボ回路２０によるフォーカシングコイル１７に供給する制御電圧であるデフォーカス値を設定するデフォーカス値設定回路であり、前記システム制御回路２２によって動作が制御されるように構成されている。３０は前記システム制御回路２２内に組み込まれているスポット径データメモリー回路であり、デフォーカス値とエラー信号のレベルＥＶとスポット径との関係を示すデータがテーブルデータとして記憶されている。
【００４１】
斯かる構成において、トラッキングサーボ回路１９の動作不動作は、システム制御回路２２によって選択制御可能に構成されており、トラッキングエラー信号レベル検出回路２８によるトラッキングエラー信号のレベルＥＶの検出動作は、トラッキングサーボ回路１９を不動作状態にさせた状態にて行うように構成されている。また、トラッキングエラー信号のレベル検出動作を行う信号は、例えば光ディスクＤの内周側にレーザー出力の設定動作を行うために設けられている試し書き領域に記録されているテスト信号を利用するように構成されている。
【００４２】
また、記録用の光ディスクＤには、プリグルーブと呼ばれる溝が形成されており、このプリグルーブから得られるウォブル信号を復調して得られる同期信号や位置情報データに基いて光ディスクＤの回転駆動動作や光学式ピックアップ１２の変位動作等を制御するように構成されている。
【００４３】
以上に説明したように本発明に係る光ディスク記録再生装置は構成されているが、次に動作について説明する。光ディスクＤに記録されている信号の再生動作を行う場合には、スピンドルモーターの回転制御動作が行われ、光ディスクＤは所定の線速度にて回転駆動されることになる。斯かる線速度を一定にするための制御動作は、光ディスクＤから読み出される同期信号とシステム制御回路２２により制御されるべく接続されている同期信号生成回路(図示せず)から生成される同期信号とを同期させることによって行われるが、斯かる動作は周知であるのでその説明は省略する。
【００４４】
光ディスクＤに記録されている信号を再生するためにレーザーダイオード１３に供給される駆動信号は、再生動作を行うために必要なレーザー出力が得られる値になるように設定されている。レーザーダイオード１３から照射されるレーザー光は、対物レンズ１４によって集光されて光ディスクＤの記録層である信号面に合焦されることになるが、斯かる合焦動作は、フォーカスサーボ回路２０によるサーボ動作によって行われる。
【００４５】
前記フォーカスサーボ回路２０によるフォーカス制御動作は、光ディスクＤの信号面から反射されるレーザー光が照射される光検出器１５より得られる信号を利用して行われる。前記光検出器１５より得られる信号は、光出力信号処理回路１８に入力され、その信号に基いてフォーカスエラー信号が生成され、そのフォーカスエラー信号はフォーカスサーボ回路２０に入力される。
【００４６】
斯かるフォーカスエラー信号がフォーカスサーボ回路２０に入力されると、該フォーカスサーボ回路２０からフォーカシングコイル１７に対してフォーカスエラー信号のレベルを小さくする方向に対物レンズ１４を変位させる駆動信号が供給される。斯かる駆動信号がフォーカシングコイル１７に供給される結果、レーザー光を光ディスクＤの信号面に合焦させる動作、即ちフォーカス制御動作を行うことが出来る。
【００４７】
前述したようにフォーカス制御動作は行われるが、トラッキング制御動作も同様に行うことが出来る。即ち、レーザーダイオード１３から照射されるレーザー光のスポットが光ディスクＤ上の信号トラックより外れると、その外れの大きさに対応したレベルのトラッキングエラー信号が光出力信号処理回路１８のトラッキングエラー信号出力端子１１Ａから出力される。
【００４８】
斯かるトラッキングエラー信号がトラッキングサーボ回路１９に入力されると、該トラッキングサーボ回路１９からトラッキングコイル１６に対してトラッキングエラー信号のレベルを小さくする方向に対物レンズ１４を変位させる駆動信号が供給される。斯かる駆動信号がトラッキングコイル１６に供給される結果、レーザー光を光ディスクＤの信号面に設けられている信号トラックに追従させる動作、即ちトラッキング制御動作を行うこと
が出来る。
【００４９】
前述したフォーカス制御動作及びトラッキング制御動作が行われる結果、光ディスクＤの信号トラック上に記録されている信号の読み取り動作を行うことが出来る。光ディスクＤの信号トラックには、長さの異なる複数のピットにより信号が記録されており、斯かるピットの長さに応じたＲＦ信号が光出力信号処理回路１８にて生成されるとともに２値化された信号が出力される。
【００５０】
前記光出力信号処理回路１８より出力される２値化信号は、デジタル信号処理回路２１に入力され、該デジタル信号処理回路２１によって復調動作が行われる。前記デジタル信号処理回路２１によって復調されたデータ信号は、システム制御回路２２を介してパーソナルコンピューター等へ出力されることになる。
【００５１】
以上に説明したように本実施例における再生動作は行われるが、次に記録動作について説明する。記録動作時におけるスピンドルモーターによる光ディスクＤの回転制御動作、トラッキングサーボ回路１９によるトラッキング制御動作及びフォーカスサーボ回路２０によるフォーカス制御動作は前述した再生動作時と同様に行われる。
【００５２】
パーソナルコンピューターより出力される記録信号は、信号記録用回路２３に入力されるとともに該信号記録用回路２３によってエンコード処理される。前記信号記録用回路２３によってエンコード処理された記録信号は、レーザー駆動信号生成回路２４に入力されるので、該レーザー駆動信号生成回路２４は、入力される記録信号に応じた長さのピットを光ディスクＤの信号トラックに形成するための駆動信号をレーザー駆動回路２５に対して出力する。
【００５３】
斯かる場合にレーザー駆動回路２５に供給される駆動信号のパルス波形は、記録ストラテジメモリー回路２７から選択されたストラテジデータに基くレーザー駆動信号制御回路２６による制御動作によって生成されることになる。このようにして生成制御されたパルス波形の駆動信号がレーザー駆動回路２５に供給されると、そのパルス波形に対応した駆動信号が該レーザー駆動回路２５からレーザーダイオード１３に対して供給される。
【００５４】
斯かる駆動信号がレーザーダイオード１３に供給されると、該レーザーダイオード１３からパルスに応じたレーザー光が照射され、光ディスクＤの信号トラックにピットが形成されることになる。斯かる動作によって形成されるピットの長さは、光ディスクＤの信号規格に対応した３Ｔ、４Ｔ…１４Ｔとなる。
【００５５】
以上に説明したように本実施例における記録動作は行われるが、次に本発明の要旨であるレーザー光のスポット形状の認識動作について説明する。
【００５６】
図２は、光ディスクＤの信号トラックに形成されているピットＰとレーザー光のスポットＳとの関係を示すものである。図２(Ａ)は、スポットＳの形状がほぼ円形、図２(Ｂ)は、スポットＳの形状が楕円であり、信号トラック方向に対して長径方向が４５度程度傾いた状態にある場合、図２(Ｃ)は、スポットＳの形状が楕円であり、信号トラック方向に対して長径方向が直角にある場合である。
【００５７】
光ディスクＤにピットＰを形成するために作用するレーザー光のスポットＳは、図２において、ピットＰと重なっている部分であり、各状態より明らかなようにピットＰの長さ方向、即ちタンジェンシャル方向の長さである有効長が相違することになる。
【００５８】
本発明は、スポットＳの形状の相違に起因する有効長の相違による記録特性の悪化を改
善するものである。即ち、有効長の変化に応じて記録ストラテジを変更するようにしたものである。
【００５９】
次に有効長を相違させる原因となるスポットＳの形状を検出する動作について説明する。斯かる検出動作は、光ディスクＤに設けられている試し書き領域にレーザー出力の調整時に記録されているテスト信号を再生することにより行われるが、斯かる再生動作は、トラッキングサーボ回路１９を不動作状態にさせた状態にて行われる。
【００６０】
光学式ピックアップ１２の試し書き領域への移動動作は、サーチと呼ばれる動作によって行うことが出来る。即ち、光ディスクＤの信号トラックに記録されている位置情報を光学式ピックアップ１２のトラックジャンプ動作を繰り返し行うことによって読み取ることにより該光学式ピックアップ１２を所望のトラック、即ちテスト信号が記録された位置に移動させることが出来る。
【００６１】
斯かる動作によって光学式ピックアップ１２が所望の位置まで移動したことが認識されると、フォーカスサーボ回路２０によるフォーカス制御動作を行った状態のままで、トラッキングサーボ回路１９を不動作状態にする動作が行われる。斯かる状態にあるとき光ディスクＤの試し書き領域に記録されているテスト信号の読み出し動作が行われるが、トラッキングサーボ回路１９が不動状態にあるためテスト信号を正常に読み出すことは出来ない。また、斯かる状態では、レーザー光のスポットＳと信号トラックとのズレが大きくなるため、トラッキングエラー信号出力端子１１Ａに出力されるトラッキングエラー信号のレベルが大きく変動することになる。
【００６２】
本発明では、トラッキングエラー信号出力端子１１Ａから出力されるトラッキングエラー信号のレベルＥＶをトラッキングエラー信号レベル検出回路２８が検出し、その検出されたレベル値をシステム制御回路２２に対して出力する動作を行っている。従って、システム制御回路２２は、トラッキングエラー信号のレベルＥＶを認識することが出来る。
【００６３】
次に、このトラッキングエラー信号のレベルＥＶとレーザー光の照射形状であるスポットＳのラジアル方向のスポット長Ｌ、即ちラジアル方向のスポット径との関係について図４及び図５を参照して説明する。
【００６４】
図４は光学式ピックアップ１２の光学系に非点収差がない場合におけるデフォーカス値、トラッキングエラー信号ＥＶとスポット長Ｌとの関係を示すものである。同図において、実線Ｔは、フォーカスサーボ回路２０のデフォーカス値の変化に対するトラッキングエラー信号のレベルＥＶの変化を示し、実線Ｌは、フォーカスサーボ回路２０のデフォーカス値の変化に対するスポット長Ｌの変化を示すものである。
【００６５】
図５は光学式ピックアップ１２の光学系に非点収差がある場合におけるデフォーカス値、トラッキングエラー信号ＥＶとスポット長Ｌとの関係を示すものである。同図において、実線Ｔは、フォーカスサーボ回路２０のデフォーカス値の変化に対するトラッキングエラー信号のレベルＥＶの変化を示し、実線Ｌは、フォーカスサーボ回路２０のデフォーカス値の変化に対するスポット長Ｌの変化を示すものである。
【００６６】
図４及び図５に示すトラッキングエラー信号のレベルＥＶの変化とスポット長Ｌの変化から明らかなようにトラッキングエラー信号のレベルＥＶとスポット長Ｌとの間には、対照的に変化するという関係がある。従って、各デフォーカス値に対するトラッキングエラー信号のレベルＥＶとスポット長Ｌとの関係を示すデータをテーブルデータとしてスポット径データメモリー回路３０に記憶させておけば、トラッキングエラー信号レベル検出回路２８によってトラッキングエラー信号のレベルＥＶを検出することによってスポット長
Ｌを求めることが出来る。
【００６７】
前述した動作によって、スポットＳのラジアル方向の長さであるスポット長Ｌを検出することが出来るが、レーザー光のスポットＳの面積は、光学式ピックアップ１２の特性から略同一になるように設定されているので、スポットＳの面積が略同一であるとすると、ラジアル方向の長さＬの長さが長くなるに従って信号トラック方向の長さが短くなり、その結果、ピットＰのトラック方向の長さに対するスポットＳの有効長、即ちピットＰ上に位置するスポットＳの長さが短くなる。
【００６８】
このようにして信号トラックに対するスポットＳの形状を検出することが出来るので、トラッキングエラー信号のレベルＥＶから有効長を認識することが出来ることになる。従って、光ディスク記録再生装置の製造時にスポットＳのラジアル方向の径に応じた記録用パルスを生成するために必要な記録ストラテジのデータを記録ストラテジメモリー回路２７にテーブルデータとして記憶させておくとともにそのデータを選択して使用することによって記録動作を行うために適したレーザーダイオード１３の駆動信号をレーザー駆動信号生成回路２４から生成させることが出来る。
【００６９】
尚、本実施例では、光ディスクＤに設けられている試し書き領域に記録されている信号を再生する場合に得られるトラッキングエラー信号のレベルを検出するようにしたが、信号の記録領域に記録されている信号を再生する場合に得られるトラッキングエラー信号のレベルを検出するように構成することも出来る。
【図面の簡単な説明】
【００７０】
【図１】本発明に係る光ディスク記録再生装置の一実施例を示すブロック回路図である。
【図２】光ディスクの信号トラックに形成されているピットとレーザー光のスポットとの関係を示す説明図である。
【図３】本発明の動作を説明するための信号波形図である。
【図４】本発明の動作を説明するための特性図である。
【図５】本発明の動作を説明するための特性図である。
【図６】本発明に使用されるトラッキングエラー信号生成回路の一実施例を示すブロック回路図である。
【図７】本発明の動作を説明するための信号波形図である。
【図８】本発明の動作を説明するための信号波形図である。
【符号の説明】
【００７１】
Ｄ        光ディスク
１２        光学式ピックアップ
１３        レーザーダイオード
１５        光検出器
１６        トラッキングコイル
１７        フォーカシングコイル
１８        光出力信号処理回路
１９        トラッキングサーボ回路
２０        フォーカスサーボ回路
２１        デジタル信号処理回路
２２        システム制御回路
２３        信号記録用回路
２４        レーザー駆動信号生成回路
２５        レーザー駆動回路
２６        レーザー駆動信号制御回路
２７        記録ストラテジメモリー回路
２８        トラッキングエラー信号レベル検出回路
２９        デフォーカス値設定回路
３０        スポット径データメモリー回路
【図１】
2006155777.tif 000003
【図２】
2006155777.tif 000004
【図３】
2006155777.tif 000005
【図４】
2006155777.tif 000006
【図５】
2006155777.tif 000007
【図６】
2006155777.tif 000008
【図７】
2006155777.tif 000009
【図８】
2006155777.tif 000010